(57)【要約】【課題】簡単な仕組みで、混信を発生させることなくサービスを提供できる無線視聴システムを提供する。【解決手段】無線視聴システムは、微弱無線送信装置と、携帯型微弱無線受信装置とを有している。そして、微弱無線送信装置は、微弱無線信号送信手段と、チャネル情報送信手段とを有している。携帯型微弱無線受信装置は、チャネル情報受信手段と、微弱無線信号受信手段と、視聴信号生成手段とを有している。微弱無線信号送信手段は受信側で視聴信号を生成する元となる微弱無線信号を送信する。チャネル情報受信手段は、例えば、微弱無線の送信周波数や当該周波数に紐づくチャネル番号などを含むチャネル情報を送信する。微弱無線受信手段は、受信したチャネル情報に基づいて、受信チャネルを調整し、微弱無線信号を受信する。視聴信号生成手段は、受信した微弱無線信号に基づいて利用者が視聴可能な視聴信号を生成する。【選択図】      図１
2018133678.tif 000002
【特許請求の範囲】
【請求項１】
微弱無線を送信する微弱無線送信装置と、
前記微弱無線を受信する利用者が携帯可能な携帯型微弱無線受信装置とを有し、
前記微弱無線送信装置は、
所定周波数のチャネルで微弱無線信号を送信する微弱無線信号送信手段と、
前記チャネルに関するチャネル情報を送信するチャネル情報送信手段とを有し、
前記携帯型微弱無線受信装置は、
前記チャネル情報を受信するチャネル情報受信手段と、
前記チャネル情報に基づいて受信チャネルを設定して前記微弱無線信号を受信する微弱無線信号受信手段と、
前記受信チャネルで受信した前記微弱無線信号に基づいて前記利用者が視聴可能な視聴信号を生成する視聴信号生成手段と
を有することを特徴とする無線視聴システム。
【請求項２】
前記微弱無線信号受信手段が、
前記チャネル情報受信手段が前記チャネル情報を受信したことを契機として前記受信チャネルの設定を行う
ことを特徴とする請求項１に記載の無線視聴システム。
【請求項３】
前記チャネル情報送信手段が、
前記微弱無線に影響を与えない伝送波で前記チャネル情報を送信する
ことを特徴とする請求項１または請求項２に記載の無線視聴システム。
【請求項４】
前記伝送波が赤外線または超音波である
ことを特徴とする請求項３に記載の無線視聴システム。
【請求項５】
前記携帯型微弱無線受信装置が、
前記微弱無線信号送信手段に対し前記チャネル情報の送信を要求するチャネル情報要求信号を送信するチャネル情報要求信号送信手段を有し、
前記微弱無線送信装置が、
前記チャネル情報要求信号を受信するチャネル情報要求信号受信手段を有し、
前記チャネル情報要求信号の受信を契機として前記チャネル情報を送信する
ことを特徴とする請求項１乃至請求項４いずれか一項に記載の無線視聴システム。
【請求項６】
前記チャネル情報要求信号が可視光または超音波である
ことを特徴とする請求項５に記載の無線視聴システム。
【請求項７】
請求項１乃至請求項６いずれか一項に記載の前記微弱無線送信装置を所定の空間内に複数設置している
ことを特徴とする視聴システム付き施設。
【請求項８】
複数の前記微弱無線送信装置の中で、装置間の距離が短い前記微弱無線送信装置のペアには所定範囲内で周波数の差が大きい前記微弱無線の周波数を割り当てている
ことを特徴とする請求項７に記載の視聴システム付き施設。
【請求項９】
微弱無線送信装置から微弱無線信号を送信し、
利用者が携帯可能な携帯型微弱無線受信装置で前記微弱無線信号を受信し、
前記微弱無線送信装置は、
所定周波数のチャネルで前記微弱無線信号を送信し、
前記チャネルに関するチャネル情報を送信し、
前記携帯型微弱無線受信装置は、
前記チャネル情報を受信し、
前記チャネル情報に基づいて受信チャネルを設定して前記微弱無線信号を受信し、
前記受信チャネルで受信した前記微弱無線信号に基づいて前記利用者が視聴可能な視聴信号を生成する
ことを特徴とする無線視聴システムの制御方法。
【請求項１０】
前記携帯型微弱無線受信装置が、
前記微弱無線送信装置に対し前記チャネル情報の送信を要求するチャネル情報要求信号を送信し、
前記微弱無線送信装置が、
前記チャネル情報要求信号を受信し、
前記チャネル情報要求信号の受信を契機として前記チャネル情報を送信する
ことを特徴とする請求項９に記載の無線視聴システムの制御方法。
【発明の詳細な説明】
【技術分野】
【０００１】
本発明は、無線視聴システムおよび無線視聴システムの制御方法に関する。
【背景技術】
【０００２】
航空機や鉄道などの旅客移動体では、客席ごとにカスタマイズされた映画や音楽の視聴サービス等が提供されている。また、遊技場（パチンコ店、ゲームセンターなど）やテーマパーク、動物園、美術館などでは、それぞれの遊技機や展示物に関する、音楽、音声、情報などを提供するサービスが提供されている。これらのサービスを有線で提供すると、ケーブルの増加や接続の煩わしさ等がある。このため、多くの場合、ケーブルが不要な無線を用いてサービスが提供されている。この時、通常のインターネットプロトコルを用いれば、様々なサービスの提供が可能であるものの、操作のたびに双方向通信の手順を踏む煩わしさがある。このため、簡易な操作で、カスタマイズされたサービスを受けられるシステムが求められている。さらに、利用者ごとに必要なサービスが異なるため、サービスを提供する信号に混信が発生しないようにする必要がある。
【０００３】
このような要望に応える技術が、例えば、特許文献１に開示されている。特許文献１には、航空機等の座席に設置された座席端末から、利用者が装着するヘッドフォンに向けて赤外線で音声データを伝送する無線視聴システムの技術が記載されている。ここで、赤外線の伝送ビームを所望の開口角と適度な強度に設定することにより、座席間で混信することなくリクエストした乗客のヘッドフォンに音声データを伝送することができる。なお、特許文献１には、電波を用いて同じサービスを提供することも可能であるが、この場合、反射や回り込みによる隣座席への混信を防止する工夫が必要となるとの記載がある。
【先行技術文献】
【特許文献】
【０００４】
【特許文献１】特開２００９−２５３９４３号公報
【発明の概要】
【発明が解決しようとする課題】
【０００５】
特許文献１の赤外線伝送を用いた技術を利用した場合、赤外線を受信可能な場所に端末を配置しなければならないという問題がある。航空機のように、無線を受信する端末の位置がほぼ固定している場合は良いが、他の利用シーンでは、利用者が端末を保持する位置が一定ではなかったり、利用者自身がある範囲で動いたりするケースが多くある。このような場合、端末の位置が赤外線ビームの照射範囲から容易に外れてしまい、サービスの提供が受けらずれなくなるという問題が発生する。他方、信号の伝送に電波を用いれば、この問題は解決するが、特許文献１に記載されている通り、電波を用いる場合には混信を防止する工夫が別途必要になる。しかしながら、特許文献１には、どのような工夫をすれば良いかについては、説明が記載されていない。
【０００６】
本発明は、上記の問題点に鑑みてなされたものであり、簡単な仕組みで、混信を発生させることなくサービスを提供できる無線視聴システムを提供することを目的としている。
【課題を解決するための手段】
【０００７】
上記の課題を解決するため、無線視聴システムは、微弱無線送信装置と、携帯型微弱無線受信装置とを有している。そして、微弱無線送信装置は、微弱無線信号送信手段と、チャネル情報送信手段とを有している。携帯型微弱無線受信装置は、チャネル情報受信手段と、微弱無線信号受信手段と、視聴信号生成手段とを有している。微弱無線信号送信手段は受信側で視聴信号を生成する元となる微弱無線信号を送信する。チャネル情報受信手段は、例えば、微弱無線の送信周波数や当該周波数に紐づくチャネル番号などを含むチャネル情報を送信する。微弱無線受信手段は、受信したチャネル情報に基づいて、受信チャネルを調整し、微弱無線信号を受信する。視聴信号生成手段は、受信した微弱無線信号に基づいて利用者が視聴可能な視聴信号を生成する。
【発明の効果】
【０００８】
本発明の効果は、簡単な仕組みで、混信を発生させることなくサービスを提供できる無線視聴システムを提供できることである。
【図面の簡単な説明】
【０００９】
【図１】第１の実施形態の無線視聴システムを示すブロック図である。
【図２】第２の実施形態の無線視聴システムの一例を示すブロック図である。
【図３】第２の実施形態の無線視聴システムの別の例を示すブロック図である。
【図４】第２の実施形態の無線視聴システムのさらに別の例を示すブロック図である。
【図５】第３の実施形態の無線視聴システムを示すブロック図である。
【図６】第３の実施形態の無線視聴システムの具体例を示すブロック図である。
【図７】第３の実施形態の無線視聴システムの動作を示すシーケンス図である。
【図８】第４の実施形態の微弱無線送信装置の具体例を示すブロック図である。
【図９】第４の実施形態の携帯型微弱無線受信装置の具体例を示すブロック図である。
【図１０】第５の実施形態の微弱無線送信装置の具体例を示すブロック図である。
【図１１】第５の実施形態の携帯型微弱無線受信装置の具体例を示すブロック図である。
【図１２】第５の実施形態の無線視聴システムの一例を示す模式図である。
【発明を実施するための形態】
【００１０】
以下、図面を参照しながら、本発明の実施形態を詳細に説明する。但し、以下に述べる実施形態には、本発明を実施するために技術的に好ましい限定がされているが、発明の範囲を以下に限定するものではない。なお各図面の同様の構成要素には同じ番号を付し、説明を省略する場合がある。
【００１１】
（第１の実施形態）
図１は、本実施形態の無線視聴システムを示すブロック図である。無線視聴システムは、微弱無線送信装置１００と、携帯型微弱無線受信装置２００とを有している。そして、微弱無線送信装置１００は、微弱無線信号送信手段１１０と、チャネル情報送信手段１２０とを有している。携帯型微弱無線受信装置２００は、チャネル情報受信手段２１０と、微弱無線信号受信手段２２０と、視聴信号生成手段２３０とを有している。
【００１２】
微弱無線信号送信手段１１０は受信側で視聴信号を生成する元となる微弱無線信号を送信する。微弱無線信号送信手段１１０は、電波法第４条第１号に規定された「発射する電波が著しく微弱な無線局」に属するものであり、電波法第４条第３号に規定された「小規模無線局」は含まないものとする。このような小規模無線局には、２．４−５．６ＧＨｚ帯の電波を用いた無線ＬＡＮ（Ｌｏｃａｌ  Ａｒｅａ  Ｎｅｔｗｏｒｋ）やＢｌｕｅｔｏｏｔｈ（登録商標）がある。上記の小規模無線局を限られたスペースで複数稼働させると、混信が発生しやすいためである。一方、上記の発射する電波が著しく微弱な無線局を用いた場合は、同様の状況でも混信が生じにくい。
【００１３】
チャネル情報受信手段２１０は、微弱無線送信装置１００が送信する微弱無線のチャネル情報を送信する。チャネル情報は、例えば、微弱無線を送信する電波の周波数と、当該周波数に割り当てられたチャネル番号などを含む。微弱無線信号受信手段２２０は、受信したチャネル情報に基づいて、受信チャネルを調整し、微弱無線信号を受信する。視聴信号生成手段２３０は、受信した微弱無線信号に基づいて利用者が視聴可能な視聴信号を生成する。
【００１４】
微弱無線の到達範囲は、以上の構成とすることにより、本実施形態によれば、混信の影響を受けることなく、所望の無線チャネルで送信された無線信号を視聴することができる。
【００１５】
（第２の実施形態）
図２は第２の実施形態の無線視聴システムを示すブロック図である。本実施形態は第１の実施形態の構成における、チャネル情報送信手段１２０およびチャネル情報受信手段２１０の具体例を示すものである。図２の例では、チャネル情報を赤外線で伝送する。そのために、チャネル情報送信手段１２０は、赤外線信号送信部１２１を有し、チャネル情報受信手段２１０は、赤外線信号受信部２１１を有している。
【００１６】
赤外線は電波と干渉しないため、視聴のための微弱無線信号に影響を与えることなくチャネル情報を伝送することができる。
【００１７】
微弱無線信号に影響を与えない伝送波としては、赤外線の他に例えば超音波がある。図３は、超音波をチャネル情報伝送に用いる無線視聴システムの例を示すブロック図である。チャネル情報送信手段１２０は、超音波信号送信部１２２を有し、チャネル情報受信手段２１０は、超音波信号受光部２１２を有している。その他の構成は図２の例と同様である。この他、可視光を用いて、微弱無線信号に影響を与えることなくチャネル情報を送信することも可能である。ただし、可視光を用いる場合は、通信可能範囲が、微弱無線送信装置１００から見た視界に限られるという制約がある。
【００１８】
チャネル情報の送受信の際に、誤り検出を行うこともできる。誤り検出により、誤ったチャネル設定を防ぐことができる。図４はこの機能を備えた無線視聴システムを示すブロック図である。チャネル情報送信手段１２０は、チャネル情報に誤り検出符号を設定する誤り検出符号設定部１２３を有している。そして、チャネル情報受信手段２１０は、誤り検出符号をチェックして誤りを検出する、誤り検出符号チェック部２１３を有している。
【００１９】
以上説明したように、本実施形態によれば、視聴する無線信号に影響を与えることなくチャネル情報を送受信できる。また、誤り検出により、チャネル設定の信頼性を高めることができる。その結果、混信が発生する確率を低下することができる。
【００２０】
（第３の実施形態）
端末がチャネルを設定するためのチャネル情報は、微弱無線送信装置１００から自主的に送信されるのではなく、外部からのリクエストによって送信を開始するようにしても良い。図５は、この機能を持つ無線視聴システムを示すブロック図である。微弱無線送信装置１００は、チャネル情報要求信号受信手段１３０を有している。また携帯型微弱無線受信装置２００は、チャネル情報要求信号送信手段２４０を有している。チャネル情報要求信号送信手段２４０がチャネル情報要求信号を送信すると、チャネル情報要求信号受信手段１３０がチャネル情報要求信号を受信する。この受信を契機として、チャネル情報送信手段１２０はチャネル情報の送信を開始する。送信する期間は、例えば、時間の長さで定義したり、繰り返し回数で定義したりすることができる。
【００２１】
図６はチャネル情報要求信号を可視光で伝送する無線視聴システムの一例を示すブロック図である。チャネル情報要求信号送信手段２４０は、可視光信号送信部２４１を有し、チャネル情報要求信号受信手段１３０は、可視光信号受信部１３１を有している。他の構成は第２の実施形態の図２の例と同様である。
【００２２】
次に上記の例の動作について説明する。図７は、無線視聴システムの動作を示すシーケンス図である。まず、携帯型微弱無線受信装置２００が可視光信号でチャネル情報要求信号を送信する（Ｓ１）。微弱無線送信装置１００は、チャネル情報要求信号を受信すると、チャネル情報を赤外線で送信する（Ｓ２）。上述したように、チャネル情報の送信は、所定時間、もしくは所定回数繰り返しても良い。携帯型微弱無線受信装置２００は、受信したチャネル情報に基づいて、当該チャネルの無線が受信できるように受信チャネルを設定する（Ｓ３）。微弱無線送信装置１００は、所定期間チャネル情報を送信すると微弱無線信号を電波で送信する（Ｓ４）。ここで、微弱無線送信装置が、チャネル情報の送受信と関係なく、微弱無線の送信を連続して行う仕様としても問題ないが、要求のあった時だけ送信する方が電力を節約できる。携帯型微弱無線受信装置２００は、微弱無線信号を受信すると、増幅やノイズ除去などの処理を行って視聴信号を生成する（Ｓ５）。なお、携帯型微弱無線受信装置２００は、受信チャネルの設定が完了した時点でチャネル設定完了通知を送信し、この通知を契機として微弱無線送信装置１００が微弱無線信号の送信を開始する仕様としても良い（Ｓ６）。
【００２３】
以上説明したように、本実施形態によれば、微弱無線信号に影響を与えない可視光でチャネル情報要求信号を送信し、赤外線でチャネル情報を送信しているため、３つの信号が干渉することなく、微弱無線を視聴できる状態を構成することができる。なお、上記の説明とは逆に、赤外線でチャネル情報要求信号を送信し、可視光でチャネル情報を送信することも可能である。あるいは、いずれかの伝送に超音波を用いても良い。
【００２４】
（第４の実施形態）
本実施形態では、装置の具体的な構成例について説明する。図８は微弱無線送信装置１０００の一具体例を示すブロック図である。微弱無線送信装置１０００は、ＭＣＵ１１００と、ＦＭトランスミッター１２００と、アンテナ１３００と、可視光受光部１４００と、赤外線ＬＥＤ１５００と、オーディオミキサー１６００とを有している。また、マイク入力端子１６１０と、外部入力端子１＿１６２０と、外部入力端子２＿１６３０とを有している。
【００２５】
ＭＣＵ（Ｍｉｃｒｏ  Ｃｏｎｔｒｏｌｌｅｒ  Ｕｎｉｔ）１１００は、一つの集積回路にコンピュータシステムをまとめた、マイクロプロセッサであり、微弱無線送信装置１０００の制御を行う。そのために、ＭＣＵ１１００は、プロセッサと、メモリ、入出力回路などを備えている。
【００２６】
ＦＭ（Ｆｒｅｑｕｅｎｃｙ  Ｍｏｄｕｌａｔｉｏｎ）トランスミッター１２００は、ＭＣＵ１１００の制御により、オーディオミキサー１６００から入力された信号を微弱無線信号に変換する。変換された信号はアンテナ１３００から送信される。ＦＭトランスミッター１２００は、周波数設定部１２１０を備え、ＭＣＵ１１００から送信されるチャネル設定信号によって、送信周波数が制御される。微弱無線信号の周波数は例えば、７６−９０ＭＨｚとすることができる。微弱無線送信装置１０００を複数台限られたスペースで使用する場合は、それぞれの送信周波数が異なるように設定して混信を防ぐことができる。周波数設定の刻みは、例えば０．１ＭＨｚとすることができる。
【００２７】
可視光受光部１４００は、携帯型微弱無線受信装置２０００からチャネル情報要求信号として送信された可視光信号を受光し電気信号に変換する。この電気信号によりＭＣＵ１１００はチャネル情報要求信号の受信を検知し、チャネル情報送信処理を行う。
【００２８】
赤外線ＬＥＤ（Ｌｉｇｈｔ  Ｅｍｉｔｔｉｎｇ  Ｄｉｏｄｅ）１５００は、ＭＣＵ１１００の制御によって点滅し、レンズ１５１０を介して赤外線を放射する。赤外線ＬＥＤ１５００の点滅によってチャネル情報が赤外線信号に変換され、携帯型微弱無線受信装置２０００に向けて送信される。
【００２９】
オーディオミキサー１６００は、マイク入力端子１６１０、外部入力端子１＿１６２０、外部入力端子２＿１６３０から入力された音響信号をミキシングし、音響信号をＦＭトランスミッター１２００に出力する。ＦＭトランスミッター１２００は、音響信号を微弱無線信号に変換してアンテナ１３００から送信する。なお、上述した入力信号は、あくまで一例であり、任意の入力信号を微弱無線信号のソースとすることができる。
【００３０】
図９は、携帯型微弱無線受信装置２０００の具体例を示すブロック図である。携帯型微弱無線受信装置２０００は、ＭＣＵ２１００と、ＦＭレシーバー２２００と、アンテナ２３００と、可視光ＬＥＤ２４００と、レンズ２４１０と、赤外線受光部２５００とを有する。またヘッドフォン端子２６００と、押しボタンスイッチ２７００と、電源となる電池２８００とを有する。
【００３１】
ＭＣＵ２１００は、一つの集積回路にコンピュータシステムをまとめた、プロセッサ、メモリ、入出力回路などを備えたマイクロプロセッサであり、携帯型微弱無線受信装置２０００の制御を行う。
【００３２】
ＦＭレシーバー２２００は、アンテナ２３００を介して、微弱無線送信装置１０００から送信された微弱無線信号を受信する。この時受信するチャネル（周波数）は、赤外線受光部２５００から受信したチャネル情報信号に基づいて設定される。ＭＣＵ２１００は受信したチャネル情報に基づいて、受信周波数を制御するチャネル設定信号をＦＭレシーバー２２００に送信する。ＦＭレシーバー２２００が保持する周波数設定部２２１０は、チャネル設定信号に指示された周波数の微弱無線が受信できるように、ＦＭレシーバー２２００の受信周波数を設定する。
【００３３】
可視光ＬＥＤ２４００は、ＭＣＵ２１００の制御によりよって点滅し、チャネル情報要求信号を可視光信号に変換し、レンズ２４１０を介して放射する。これにより、微弱無線送信装置１０００に対してチャネル情報要求信号を送信することができる。なお、この例では、チャネル情報要求信号を、押しボタンスイッチ２７００を押すことによって放射するようにしている。利用者は、レンズ２４１０を微弱無線送信装置１０００に向けて、押しボタンスイッチを押すことで、チャネル情報要求信号を送信することができる。
【００３４】
赤外線受光部２５００は、チャネル情報信号として送信された赤外線を受光する。受光された信号は電気信号に変換され、ＭＣＵ２１００に出力される。ＭＣＵでは、入力された信号からチャネル情報を解析し、微弱無線送信装置１０００が送信する周波数が受信できるようにＦＭレシーバー２２００の受信周波数を調整する。
【００３５】
ヘッドフォン端子２６００はヘッドフォンを接続する端子である。利用者はここにヘッドフォンを接続することにより、微弱無線送信装置１０００から送信された音楽等の音響を視聴することができる。なお、音響の出力先は、これに限られるものではなくスピーカー等、他の出力装置であっても良い。
【００３６】
以上説明したように、本実施形態によれば、使い勝手の良い無線視聴システムを構築することができる。なお、上記の説明では伝送する信号を音響信号としたが、映像信号などの他の形式の信号であっても、同様の仕組みで伝送することができる。
【００３７】
（第５の実施の形態）
第４の実施の形態では、携帯型微弱無線受信装置から可視光でチャネル情報要求信号を送信し、この信号を受信した微弱無線送信装置が、赤外線でチャネル情報を送信する例について説明したが、他の方式とすることも可能である。本実施形態では、上記の通信に超音波を用いる例について説明する。
【００３８】
図１０は、本実施形態の微弱無線送信装置３０００を示すブロック図である。微弱無線送信装置３０００は、ＭＣＵ３１００と、ＦＭトランスミッター３２００と、アンテナ３３００と、超音波マイクロフォン３４００と、超音波スピーカー３５００と、オーディオミキサー３６００とを有している。また、マイク入力端子３６１０と、外部入力端子１＿３６２０と、外部入力端子２＿３６３０とを有している。
【００３９】
ＭＣＵ３１００、ＦＭトランスミッター３２００、アンテナ３３００、オーディオミキサー３６００の構成と動作については、第４の実施の形態と同様である。このため、詳細な説明は省略する。第４の実施の形態との違いは、チャネル情報要求信号を超音波で受信し、チャネル情報を超音波で送信することである。
【００４０】
微弱無線送信装置３０００は、上記の動作を実現するために、チャネル情報要求信号を受信する超音波マイクロフォン３４００と、チャネル情報を送信するための超音波スピーカー３５００とを備えている。
【００４１】
入力側の超音波マイクロフォン３４００で受信したチャネル情報要求信号は、入力アンプ３４１０で増幅され、バンドパスフィルタ３４２０で不要な信号を除去されて、ＭＣＵ３１００に到達する。バンドパスフィルタ３４２０は、例えば、周波数Ａの帯域の信号だけを通過させる。周波数Ａは、チャネル情報を送信する超音波の周波数Ｂとは異なるようにしておく。これにより、２つの信号の混信を防ぐことができる。
【００４２】
ＭＣＵ３１００から出力されたチャネル情報は、出力アンプ３５１０で増幅され、超音波スピーカー３５００から超音波信号として出力される。この時の送信周波数Ｂは、先に述べたように、チャネル情報要求信号の周波数Ａとは異なるものにしておく。
【００４３】
以上説明したように、本実施形態微弱無線送信装置３０００は、超音波で受信したチャネル情報要求信号に応答して、異なる周波数の超音波でチャネル情報を送信する。他の構成と動作については、第４の実施の形態の微弱無線送信装置１０００と同様である。
【００４４】
次に、本実施形態の携帯型微弱無線受信装置４０００について説明する。携帯型微弱無線受信装置４０００は、ＭＣＵ４１００と、ＦＭレシーバー４２００と、アンテナ４３００と、超音波スピーカー４４００と、超音波マイクロフォン４５００とを有する。また、またヘッドフォン端子４６００と、押しボタンスイッチ４７００と、電源となる電池４８００とを有する。
【００４５】
ＭＣＵ４１００、ＦＭレシーバー４２００、アンテナ４３００、ヘッドフォン端子４６００、電池４８００の構成と動作については、第４の実施の形態と同様である。このため、詳細な説明は省略する。第４の実施の形態との違いは、チャネル情報要求信号を超音波で送信し、チャネル情報を超音波で受信することである。
【００４６】
超音波スピーカー４４００は、ＭＣＵ４１００が出力し、出力アンプ４４１０で増幅されたたチャネル情報要求信号を、超音波信号として送信する。この時の周波数は、上述した周波数Ａである。これにより、微弱無線送信装置３０００に対してチャネル情報要求信号を送信することができる。なお、この例では、チャネル情報要求信号を、押しボタンスイッチ４７００を押すことによって送信するようにしている。利用者は、超音波スピーカー４４００を、微弱無線送信装置３０００に向けて、押しボタンスイッチを押すことで、チャネル情報要求信号を送信することができる。
【００４７】
超音波マイクロフォン４５００は、チャネル情報として送信された超音波信号を受信する。受信された信号は電気信号に変換され、入力アンプ４５１０で増幅され、バンドパスフィルタ４５２０で不要な周波数の信号を除去されＭＣＵ４１００に到達する。バンドパスフィルタ４５２０は、周波数Ｂの帯域の信号だけを通過させる。既述の通り、周波数Ｂは、チャネル情報要求信号の周波数Ａとは異なるため、２つの信号の混信を防ぐことができる。ＭＣＵ４１００では、入力された信号からチャネル情報を解析し、微弱無線送信装置３０００が送信する周波数の微弱無線が受信できるようにＦＭレシーバー４２００の受信周波数を調整する。
【００４８】
以上説明したように、本実施形態によれば、第４の実施の形態と同様に、使い勝手の良い無線視聴システムを構築することができる。
【００４９】
第４、第５の実施の形態を適宜選択することにより、例えば、騒音の多い場所では光通信を利用し、逆に太陽光など明るい場所では超音波を利用するなど、周囲の環境により適した通信方式を選択し、使い勝手の良い視聴システムを構築することができる。なお、上記の説明では伝送する信号を音響信号としたが、映像信号などの他の形式の信号であっても、同様の仕組みで伝送することができる。
【００５０】
（第６の実施の形態）
第１から第５の実施の形態で説明した無線視聴システムを用いると、混信が発生しにくい無線視聴システムを構築することが可能である。この特徴により、これらの無線視聴システムは、限られたスペースに多数の無線視聴システムを併設する場合に、特に有用である。以下、具体的な例を用いて説明する。
【００５１】
図１２は、遊技場（パチンコ店）の遊技台５０００に第４の実施の形態の微弱無線送信装置１０００を設置し、利用者６０００が携帯型微弱無線受信装置２０００で、音響信号を視聴する例を示す模式図である。各遊技台５０００には１台ずつ微弱無線送信装置１０００が設置され、それぞれの微弱無線送信装置１０００には、異なるチャネル（周波数）が割り当てられている。チャネル番号は、例えば台番号と同じに設定することができる。
【００５２】
利用者６０００は、携帯型微弱無線受信装置２０００を遊技台５０００に設置された微弱無線送信装置１０００に向け、押しボタンスイッチ２７００を押す。すると、第４の実施の形態で説明した動作により、受信チャネルが設定できる。すなわち、携帯型微弱無線受信装置２０００を遊技台５０００に向け、押しボタンスイッチ２７００を押すだけで、混信の無い音響を視聴することができる。なお、距離が近い複数の遊技台の組み合わせに対しては周波数の差が大きくなるように周波数を割り当てると、より混信を発生しにくくすることができる。
【００５３】
一方、同じ視聴システムをＧＨｚ帯の無線ＬＡＮやＢｕｌｕｅｔｏｏｔｈ（登録商標）で構築すると、混信が多発してシステムが機能しなくなる恐れがある。
【００５４】
以上説明したように、本実施形態によれば限られたスペースに多数の無線視聴システムを併設する場合に、効率よく混信を防止し、快適な無線視聴システムを構築することができる。なお、上記の説明では、遊技場を用いたが、同様のシステムは、ゲームセンター、テーマパーク、動物園、美術館、航空機、列車、バス等にも適用することができる。
【００５５】
以上、上述した実施形態を模範的な例として本発明を説明した。しかしながら、本発明は、上記実施形態には限定されない。即ち、本発明は、本発明のスコープ内において、当業者が理解し得る様々な態様を適用することができる。
【符号の説明】
【００５６】
１００、１０００、３０００    微弱無線送信装置
１１０    微弱無線信号送信手段
１２０    チャネル情報送信手段
１２１    赤外線信号送信部
１３０    チャネル情報要求信号受信手段
１３１    可視光信号受信部
２００、２０００、４０００    携帯型微弱無線受信装置
２１０    チャネル情報受信手段
２１１    赤外線信号受信部
２２０    微弱無線信号受信手段
２３０    視聴信号生成手段
２４０    チャネル情報要求信号送信手段
２４１    可視光信号送信部
１１００、２１００    ＭＣＵ
１２００    ＦＭトランスミッター
１３００、２３００    アンテナ
１４００    可視光受光部
１５００    赤外線ＬＥＤ
１５１０、２４１０    レンズ
１６００    オーディオミキサー
２２００    ＦＭレシーバー
２４００    可視光ＬＥＤ
２５００    赤外線受光部
３４００、４５００    超音波マイクロフォン
３５００、４４００    超音波スピーカー
５０００    遊技台
６０００    利用者
【図１】
2018133678.tif 000003
【図２】
2018133678.tif 000004
【図３】
2018133678.tif 000005
【図４】
2018133678.tif 000006
【図５】
2018133678.tif 000007
【図６】
2018133678.tif 000008
【図７】
2018133678.tif 000009
【図８】
2018133678.tif 000010
【図９】
2018133678.tif 000011
【図１０】
2018133678.tif 000012
【図１１】
2018133678.tif 000013
【図１２】
2018133678.tif 000014